(57)【要約】【解決手段】複数の第１の導体を有する平面フレキシブル回路用のコネクタ組み立て体が提供される。該組み立て体は、複数の第２の導体を有する相補的接続装置と嵌（かん）合するためのアダプタを備える。該アダプタは差し込み口を備える。比較的剛性の高い雄型本体部材の縁の周りに平面フレキシブル回路が被せられて、前記縁において第１の導体が外周を向いている。前記雄型本体部材はアダプタの差し込み口に挿入可能である。ばね部材は前記雄型本体部材に取り付けられ、該雄型本体部材をアダプタに対して嵌合方向に付勢する。カム部材は雄型本体部材とアダプタとの間に作動的に連結される。カム部材は非作動位置と作動位置との間で移動可能である。カム部材は、カム部材の作動位置への動きに応じてばね部材に荷重をかけるためにばね部材と係合可能なカム面を備える。【選択図】図４
2004536431.tif 000002
【特許請求の範囲】
【請求項１】
複数の第１の導体を有する平面フレキシブル回路用のコネクタ組み立て体であって、
複数の第２の導体を有する相補的接続装置と嵌合するための、差し込み口を備えたアダプタと、
縁を備える比較的剛性の高い雄型本体部材であって、前記縁において前記第１の導体が本体部材の外側を向くように前記縁の周りに平面フレキシブル回路が被せられ、アダプタの差し込み口に挿入可能な雄型本体部材と、
該雄型本体部材に取り付けられ、該雄型本体部材をアダプタに対して嵌合方向に付勢するばね部材と、
前記雄型本体部材とアダプタとの間に作動的に連結されたカム部材であって、非作動位置と作動位置との間で移動可能であり、カム部材の作動位置への動きに応じて前記ばね部材に荷重をかけるために該ばね部材と係合可能なカム面を含むカム部材とを有するコネクタ組み立て体。
【請求項２】
前記カム部材は、前記アダプタ及び雄型本体部材の内の一方に回転可能に取り付けられ、かつ、カム溝を含み、前記アダプタ及び雄型本体部材の内の他方は、カム溝に係合されるカムフォロア突起を含む、請求項１に記載のコネクタ組み立て体。
【請求項３】
前記カム部材は、前記ばね部材と係合可能な前記カム面を画定する偏心カム面を含む、請求項２に記載のコネクタ組み立て体。
【請求項４】
前記カム部材は、雄型本体部材に回転可能に取り付けられ、前記ばね部材と係合可能な前記カム面を画定する円弧状カム面を含む、請求項１に記載のコネクタ組み立て体。
【請求項５】
前記カム部材は、雄型本体部材内の環状凹部内に収容され、前記ばね部材と係合可能な前記円弧状カム面を画定する第１段環状周辺部と、アダプタと相互係合する手段を含む第２段部とを含む、請求項１に記載のコネクタ組み立て体。
【請求項６】
前記ばね部材は、嵌合方向を横切って延在し、雄型本体部材上の横断方向肩部と係合可能である細長い剛性部を含む、請求項１に記載のコネクタ組み立て体。
【請求項７】
前記ばね部材は、両端が前記細長い剛性部のほぼ両端に接続されている細長い板ばね部を含む、請求項６に記載のコネクタ組み立て体。
【請求項８】
前記カム部材は、前記アダプタ及び雄型本体部材の内の一方に移動可能に取り付けられ、少なくともカム部材が作動位置にあるときに、前記アダプタ及び雄型本体部材の内の他方とカム部材との間に相補的相互係合を確立する手段を含む、請求項１に記載のコネクタ組み立て体。
【発明の詳細な説明】
【技術分野】
【０００１】
本発明は、一般に、電気コネクタの技術に関し、詳細には、平面フレキシブル回路を電気的に相互接続するコネクタに関する。
【背景技術】
【０００２】
平面フレキシブル回路は、通常、横方向に離間したストリップ、すなわち、導体を片面又は両面に有する細長い平面フレキシブル誘電体基板を含む。導体は、回路の片面又は両面で、薄くて柔軟な保護層によって覆われることがある。保護層が使用される場合は、相補的嵌（かん）合接続装置の導体と基板の導体を係合させる所望の接触位置において、保護層の下にある導体を露出させるために切り欠きが形成される。相補的嵌合接続装置の例としては、第２の平面フレキシブル回路、プリント回路基板、個別の電気配線、嵌合コネクタの端子が挙げられる。
【０００３】
平面フレキシブル回路を相補的嵌合接続装置によって終端させたり相補的嵌合接続装置と相互接続したりするために、何年もに亘（わた）って種々様々なコネクタが設計されてきた。そのようなコネクタは、特に、コストと信頼性の部分で、大きな問題に悩まされ続けてきた。そのようなコネクタは、材料コスト自体が高過ぎるだけでなく、組み立てにおいて過度に長い作業時間が必要とされる。これらの問題は、本発明の譲受人に譲渡された米国特許第６，０３９，６００号及び第６，０７７，１２４号に示されているような、導電端子を使用しない単純で安価で信頼性の高いコネクタ構造を提供することによって解決されてきた。
【発明の開示】
【発明が解決しようとする課題】
【０００４】
前述の特許及び他の従来技術に示されたコネクタ構造は、様々な形の本体部材を使用しており、平面フレキシブル回路が本体部材の周りに、その導体が本体部材と反対方向を向くように巻き付けられる。一般に、本体部材は、ほぼ平面、すなわち、平坦（たん）であり、平面フレキシブル回路の導体は、本体部材の平面とほぼ垂直な方向に嵌合導体と係合するように片寄る。このタイプのシステムは、垂直方向の接続を行うために、本体部材の厚さを大きくすることができる構造を必要とする。そのようなシステムの改良は、２０００年１２月１３日に出願され本発明の譲受人に譲渡された同時係属出願第０９／７３７，２６５号に示されている。この出願に示されているように、平面フレキシブル回路用のコネクタは、比較的薄い、すなわち、背が低いプロファイルを有する。何故なら、前記平面フレキシブル回路が、雄型本体部材の縁に巻き付けられ、嵌合導体が、雄型本体部材の縁において、本体部材の平面とほぼ平行な方向にフレキシブル回路と係合するためである。本発明は、コネクタ組み立て体に、雄型本体部材の縁において導体に作用する結合力を高める手段を設けることによって、そのようなシステムをさらに改良するものである。
【課題を解決するための手段】
【０００５】
したがって、本発明の目的は、平面フレキシブル回路用の新規で、かつ、改良したコネクタ組み立て体を提供することである。
【０００６】
本発明の例示的な実施形態においては、導電性端子を使用せずに平面フレキシブル回路の第１の導体を複数の第２の導体に相互接続するためのコネクタ組み立て体が提供される。該組み立て体は、複数の第２の導体を有する相補的接続装置と嵌合するアダプタを有する。該アダプタは、差し込み口を備えている。比較的剛性の高い雄型本体部材の縁の周りに、平面フレキシブル回路が、第１の導体がその縁において本体方向の外周に向く状態で巻き付けられる。雄型本体部材は、アダプタの差し込み口に挿入可能である。本体部材をアダプタに対して嵌合方向に付勢するばね部材が、雄型本体部材に取り付けられている。カム部材が雄型本体部材とアダプタとの間に作動的に連結されており、非作動位置と作動位置との間で移動可能である。カム部材は、作動位置へのカム部材の移動に応じてばね部材に荷重をかける、ばね部材と係合可能なカム面を含む。
【０００７】
本発明の一形態によれば、カム部材は、アダプタと雄型本体部材の内の一方に回転可能に取り付けられ、それに対して嵌合方向に移動可能である。カム部材は、ばね部材と係合可能なカム面を画定する円弧状のカム面を備える。ばね部材は、細長い剛性部分を備え、該剛性部分が嵌合方向を横切って延在するとともに雄型本体部材上の横断方向肩部と係合可能となっている。細長い板ばね部分の両端が、細長い剛性部分のほぼ両端に接続されている。
【０００８】
本発明の他の形態によれば、回転可能なカム部材は、カム溝を備えている。アダプタと雄型本体部材の内の一方にカム部材が回転可能に取り付けられており、アダプタと雄型本体部材の内の他方のものが、カム溝と係合するカムフォロア突起を備えている。カム部材上の円弧状カム面は、カム部材の回転軸に対して偏心している。
【０００９】
本発明の更に他の形態によれば、カム部材は、雄型本体部材の環状凹部内に収容された第１段環状周辺部分を備えている。カム部材の第１段周辺部分は、ばね部材と係合可能な円弧状カム面を画定する。カム部材の第２段部分は、カム部材が作動位置にあるときにアダプタと相互係合する手段を備えている。
【００１０】
本発明の他の目的、特長及び利点は、添付図面と関連して行われる以下の詳細な説明から明らかになるであろう。
【００１１】
新規であると考えられる本発明の特徴は、添付の特許請求の範囲において詳細に説明される。本発明は、その目的と利点とともに、添付図面と関連して行われる以下の説明を参照することによって最もよく理解されよう。なお、図面中、同一の参照符号は同一の要素を示す。
【発明を実施するための最良の形態】
【００１２】
図面を詳細に参照して説明を行う。最初に図１〜３を参照すると、本発明は、複数の第１の導体（図では見えない）を有する平面フレキシブル回路１２のための、全体を１０で示したコネクタ組み立て体において実施される。コネクタ組み立て体は、全体を１４で示したアダプタと、全体を１６で示した比較的剛性の高い雄型本体部材と、雄型本体部材１６とアダプタ１４との間に作動的に連結された、全体を１８で示したカム部材とを含む。後で分かるように、カム部材１８は、図１に示した非作動位置から図２に示した作動位置へ矢印「Ａ」の方向に回転することができるように、雄型本体部材１６に回転可能に取り付けられている。カム部材が、非作動位置から作動位置まで回転されると、カム部材は、ばね部材（図１〜３では見えない）に荷重をかけ、また、カム部材、雄型本体部材及びばね部材から成る部分組み立て体をアダプタ１４に固定する。
【００１３】
より詳細には、図１及び２とともに図４及び５を参照すると、コネクタ組み立て体１０のアダプタ１４は、差し込み口２２を画定するほぼ平坦な長方形のハウジング部分２０を含む。ハウジング部分の差し込み口２２の入口の周囲から、周辺フランジ２４が突出している。差し込み口の下部から前方に支持リップ２６が突出している。差し込み口の上部から前方にカムフォロア支持体２８が突出している。アダプタのハウジング部分２０の嵌合端３０は、相補的嵌合装置３１の導体を収容するために開いている。組み立て体の嵌合方向は、矢印「Ｂ」で示されている。
【００１４】
全体を３２で示した雄型本体部分組み立て体が、アダプタ１４の差し込み口２２内に、図４及び５に示した矢印「Ｃ」の方向に挿入可能である。図４〜７のすべてを参照すると、雄型本体部分組み立て体３２は、雄型本体部材１６、カム部材１８、及び、全体を３４で示したばね部材を含む。雄型本体部分組み立て体の雄型本体部材１６は、非常に薄くほぼ平坦であり、成型プラスチックなどの比較的剛性の高い材料で作成される。雄型本体部材の前縁３６の周りに、平面フレキシブル回路１２の折り畳み部分１２ａ（図４及び５）が、平面フレキシブル回路の導体が該縁において本体部材と反対方向を向くように巻き付けられる。雄型本体部材内の縁３６のすぐ内側に細長い空胴３８が形成され、この空胴は、空胴内部に細長い肩部４０を画定し、該肩部４０は、コネクタ組み立て体の嵌合方向と交差する方向に延在している。実質的には、肩部４０は、ほぼ前縁３６と平行に延在しており、縁と肩部は両方とも、コネクタ組み立て体の嵌合方向（Ｂ）とほぼ垂直に延在している。ばね部材３４は、後方の窓４２（図５及び７）から空胴３８に差し込まれる。
【００１５】
雄型本体部分組み立て体３２の雄型本体部材１６は、さらに、カム部材１８が中に回転可能に取り付けられた円弧状の凹部４４を含む。該凹部４４の嵌合方向の寸法はカム部材よりも大きく、したがって、雄型本体部材１６とカム部材１８は、嵌合方向に相対的に移動することができる。開口部４６（図４及び６）によって、凹部４４が窓４２内の空胴３８に連通されている。凹部４４の周囲の約１８０度に、高くなったプラットフォーム４８が形成されている。該高くなったプラットフォーム４８の上にプラットフォーム４８から離間されて、複数のタブ５０が、内側に突出している。実質的には、タブ５０の下に溝が画定されている。成形のために、連続した円弧状リップではなく、個々のタブが溝を画定するために使用されている。換言すると、プラットフォーム４８上に離間されたタブ５０を形成するための成形用コアピンを収容する孔（あな）５２（図５及び７）が、雄型本体部材の裏側に形成されている。
【００１６】
雄型本体部分組み立て体３２のばね部材３４は、コネクタ組み立て体の嵌合方向と交差して延在する細長い剛性部分５４を含む。細長い板ばね部分５６の両端が、細長い剛性部分５４のほぼ両端に接続されている。ばね部材は、ばね用金属材料から作成することができる。ばね部材が、窓４２を介して雄型本体部材１６の空胴３８内に組み付けられると、ばねの細長い剛性部分５４が、空胴３８の前縁側に沿って肩部４０に当接する。
【００１７】
雄型本体部分組み立て体３２のカム部材１８は、雄型本体部材１６とアダプタ１４との間に作動的に連結された独特な構成要素である。カム部材は、雄型本体部材１６の環状の凹部４４内に収容された第１段環状周辺部分５８を備えている。該第１段環状周辺部分５８は、カム部材と雄型本体部材との間での制限された量の嵌合方向への相対移動を許容する。第１段環状周辺部分は、後述する目的のために、環状、すなわち、円弧形の側部５８ａと平坦な側部５８ｂとを含む。
【００１８】
カム部材１８は、ほぼ半径方向外方に延在するタブ６０ａを備えた第２段部分６０を含む。タブ６０ａは、雄型本体部材１６のタブ５０の間の距離よりもわずかに幅が広い。したがって、第１段環状周辺部分１８を凹部４４内に位置決めすることによって、カム部材１８が、雄型本体部材１６に取り付けられたときに、カム部材のタブ６０ａが、雄型本体部材のタブ５０の後ろにパチンと嵌（は）まる。動作中、カム部材のタブ６０ａは、高くなったプラットフォーム４８に乗り、かつ、雄型本体部材のタブ５０の下に形成された複合溝内に延在して、カム部材を雄型本体部材上に保持するとともに、カム部材が雄型本体部材に対して自由に回転することができるようにする。カム部材１８は、さらに、カム部材を手動で操作し回転させやすくするために、タブ６０ａの上方で半径方向外方に突出するハンドル６４を有する第３段部分６２を含む。該第３段部分６２は、また、後で分かるように、アダプタ１４から突出するカムフォロア突起を収容する開口部６６ａを備えたカム溝６６の形の相互係合手段を含む。
【００１９】
図６は、雄型本体部分組み立て体３２の雄型本体部材１６に取り付けられたカム部材１８を示し、カム部材の第１段周辺部分５８が、雄型本体部材の凹部４４内に収容されている。カム部材のタブ６０ａは、雄型本体部材のタブ５０の内の１個のタブの下に配設されている。図６及び７は、作動位置にあるカム部材１８を示し、図７は、ばね部材の細長い板ばね部分５６と係合しているカム部材の第１段周辺部分５８の円形側部５８ａを示している。嵌合装置３１（図４及び５）がない場合は、これは、単に、雄型本体部材をカム部材に対して前方に片寄らせることになる。
【００２０】
単純に示された相補的嵌合装置３１は、雄型本体部材６８を有しており、該雄型本体部材６８の周りに第２の平面フレキシブル回路１３が、該第２の平面フレキシブル回路の導体が縁６９において本体部材と反対方向を向く状態で巻き付けられている。嵌合装置３１は、アダプタ１４の嵌合端３０の開口部７２に差し込まれる相補的装置の単なる一例として示されている。他の嵌合装置の例としては、プリント回路基板又は配線に圧着された金属端子が挙げられる。
【００２１】
図８及び９は、雄型本体部分組み立て体３２がアダプタ１４の差し込み口２２に完全に差し込まれ、かつ、カム部材１８が雄型本体部材１６に対して作動位置に回転された状態のコネクタ組み立て体１０を示す。図９は、カム部材１８のカム溝６６内に延在しているアダプタ１４内のカムフォロア突起７０を示す。カムフォロア突起は、カムフォロア支持体２８とフランジ２４の内部に、アダプタと一体的に形成される。また、図９は、ばね部材３４の細長い板ばね部分５６と係合するカム部材の円形側面５８ａ（図４）を示す。雄型本体部材１６の前縁３６と反対側に向いている平面フレキシブル回路１２の導体は、アダプタの嵌合端３０にある孔７２に差し込まれた相補的嵌合接続装置３１の第２の平面フレキシブル回路１３の導体と係合する。
【００２２】
カム部材１８がその作動位置にあるとき、アダプタ１４内のカムフォロア突起７０（図９）は、カム溝６６の閉止端７４（図４及び６）内に捕らえられる。カム溝内のカムフォロア突起のこの相互係合によって、カム部材がアダプタと「固定（lock-up ）」され、カム部材とアダプタとの間のコネクタ組み立て体の嵌合方向の相対的な動きが防止される。
【００２３】
以上のことから、独特なカム部材１８が複数の機能を果たすことが分かる。最初に、カム部材がその作動位置にあるとき、カム部材は、雄型本体組み立て体３２をアダプタ１４と連結する。次に、カム部材は、ばね部材３４に荷重をかける。換言すると、嵌合装置３１がアダプタ１４内に一旦（たん）、固定されると、カム部材１８の回転によってばね部材３４が付勢され、ばね部材は、雄型本体部材１６を嵌合方向前側に片寄らせる。これにより、平面フレキシブル回路１２の導体が、平面フレキシブル回路１３の導体に対して押し付けられ、２つの回路の導体間の機械的及び電気的接触が良好に行われる。
【００２４】
雄型本体部分組み立て体３２がアダプタ１４に組み込まれたとき、カム部材１８は、図１に示した非作動位置にある。これにより、カム溝６６の開口部６６ａ（図４及び６）が前方向に向き、アダプタ４０内のカムフォロア突起７０（図９）がカム溝６６に入ることができるようになる。カム部材が、矢印「Ａ」（図１及び２）の方向に回転されると、カムフォロア突起７０が、カム溝に沿ってカム溝の閉止端７４に至り、そこで、カム部材（すなわち、雄型本体部分組み立て体３２）は、アダプタと相互係合されロックされる。
【００２５】
本発明が、本発明の趣旨又は中心的特徴から逸脱することなく他の特定の形態で実施することができることが分るであろう。したがって、上記の例及び実施形態は、すべての点において例示的であり、限定的でないと考えるべきであり、本発明は本明細書に示した細部に限定されない。
【図面の簡単な説明】
【００２６】
【図１】本発明の概念を具体化した平面フレキシブル回路用のコネクタ組み立て体の上面斜視図であり、カム部材がその非作動位置にある状態を示す。
【図２】図１と類似の図で、カム部材がその作動位置にある状態を示す。
【図３】コネクタ組み立て体の下面斜視図である。
【図４】カムがその作動位置にある状態でのコネクタ組み立て体の分解上面斜視図である。
【図５】図４に示したコネクタ組み立て体の分解下面斜視図である。
【図６】同様にカム部材がその作動位置にある状態でのコネクタ組み立て体の雄型本体部分組み立て体の上面斜視図である。
【図７】図６の雄型本体部分組み立て体の下面斜視図である。
【図８】図２に示したようにカム部材がその作動位置にある状態のコネクタ組み立て体の拡大平面図である。
【図９】図８のほぼ線９−９に沿って切断した垂直断面図である。
【国際公開パンフレット】
2004536431.tif 000003
2004536431.tif 000004
2004536431.tif 000005
2004536431.tif 000006
2004536431.tif 000007
2004536431.tif 000008
2004536431.tif 000009
2004536431.tif 000010
2004536431.tif 000011
2004536431.tif 000012
2004536431.tif 000013
2004536431.tif 000014
2004536431.tif 000015
2004536431.tif 000016
2004536431.tif 000017
【国際公開パンフレット（コレクトバージョン）】
2004536431.tif 000018
【手続補正書】
【提出日】平成15年1月21日(2003.1.21)
【手続補正１】
【補正対象書類名】特許請求の範囲
【補正対象項目名】全文
【補正方法】変更
【補正の内容】
【特許請求の範囲】
【請求項１】
複数の第１の導体を有する平面フレキシブル回路（１２）用のコネクタ組み立て体（１０）であって、
複数の第２の導体を有する相補的接続装置と嵌合するための、差し込み口（２２）を備えたアダプタ（１４）と、
縁（３６）を備える比較的剛性の高い雄型本体部材（１６）であって、前記縁（３６）において第１の導体が前記雄型本体部材（１６）に対して外側を向くように前記縁（３６）の周りに平面フレキシブル回路（１２）が被せられ、アダプタ（１４）の差し込み口（２２）に挿入可能な雄型本体部材（１６）と、
該雄型本体部材（１６）に取り付けられ、該雄型本体部材（１６）をアダプタ（１４）に対して嵌合方向（Ｂ）に付勢するばね部材（３４）と、
該雄型本体部材（１６）に取り付けられ、該雄型本体部材（１６）をアダプタ（１４）に対して嵌合方向（Ｂ）に付勢するばね部材（３４）と、
雄型本体部材（１６）とアダプタ（１４）との間に作動的に連結されたカム部材（１８）であって、非作動位置と作動位置との間で移動可能であり、カム部材（１８）の作動位置への動きに応じてばね部材（３４）に荷重をかけるためにばね部材（３４）と係合可能なカム面（５８ａ）を含むカム部材（１８）とを有するコネクタ組み立て体。
【請求項２】
前記カム部材（１８）は、前記アダプタ（１４）及び雄型本体部材（１６）の内の一方に回転可能に取り付けられ、かつ、カム溝（６６）を含み、前記アダプタ（１４）及び前記雄型本体部材（１６）の内の他方は、カム溝（６６）に係合されるカムフォロア突起（７０）を含む、請求項１に記載のコネクタ組み立て体。
【請求項３】
前記カム部材（１８）は、前記ばね部材（３４）と係合可能な前記カム面を画定する偏心カム面（５８ａ）を含む、請求項２に記載のコネクタ組み立て体。
【請求項４】
前記カム部材（１８）は、前記雄型本体部材（１６）に回転可能に取り付けられ、前記ばね部材（３４）と係合可能な前記カム面を画定する円弧状カム面（５８ａ）を含む、請求項１に記載のコネクタ組み立て体。
【請求項５】
前記カム部材（１８）は、前記雄型本体部材（１６）内の環状凹部（４４）内に収容され、ばね部材（３４）と係合可能な前記円弧状カム面（５８ａ）を画定する第１段周辺部（５８）と、前記アダプタ（１４）と相互係合する手段（６６）を含む第２段部（６２）とを含む、請求項１に記載のコネクタ組み立て体。
【請求項６】
前記ばね部材（３４）は、嵌合方向を横切って延在し、前記雄型本体部材（１６）上の横断方向肩部（４０）と係合可能である細長い剛性部（５４）を含む、請求項１に記載のコネクタ組み立て体。
【請求項７】
前記ばね部材（３４）は、両端が細長い剛性部分（５４）のぼぼ両端に接続されている細長い板ばね部（５６）を含む、請求項６に記載のコネクタ組み立て体。
【請求項８】
前記カム部材（１８）は、前記アダプタ（１４）及び雄型本体部材（１６）の内の一方に移動可能に取り付けられ、少なくともカム部材（１８）が作動位置にあるとき、前記アダプタ（１４）及び前記雄型本体部材（１６）の内の他方とカム部材（１８）との間に相補的相互係合を確立する手段（６６、７０）を含む、請求項１に記載のコネクタ組み立て体。
【請求項９】
複数の第１の導体を有する平面フレキシブル回路（１２）用のコネクタ組み立て体（１０）であって、
複数の第２の導体を有する相補的接続装置と嵌合するための差し込み口（２２）を備えたアダプタ（１４）と、
縁（３６）を備える比較的剛性の高い雄型本体部材（１６）であって、前記縁（３６）において第１の導体が本体部材に対して外側を向くように前記縁（３６）の周りに平面フレキシブル回路（１２）が被せられ、アダプタ（１４）の差し込み口（２２）に挿入可能な雄型本体部材と、
該雄型本体部材（１６）に取り付けられ、該雄型本体部材をアダプタ（１４）に対して嵌合方向（Ｂ）に付勢するばね部材（３４）と、
非作動位置と作動位置との間で回転するように前記アダプタ（１４）及び雄型本体部材（１６）の内の一方に回転可能に取り付けられるカム部材（１８）であって、該カム部材（１８）の作動位置への回転に応じて前記ばね部材（３４）に荷重をかけるためにばね部材（３４）と係合可能な円弧状カム（５８ａ）を含むカム部材（１８）と、
少なくとも前記カム部材が前記作動位置にあるとき、前記カム部材（１８）とアダプタとをともに締結するように前記アダプタ（１４）及び雄型本体部材（１６）の内の他方とカム部材（１８）との間に相補的係合を確立する手段（６６、７０）とを有するコネクタ組み立て体。
【請求項１０】
前記カム部材（１８）はカム溝（６６）を含み、前記アダプタ（１４）及び雄型本体部材（１６）の内の他方は、カム溝に係合されるカムフォロア突起（７０）を含む、請求項９に記載のコネクタ組み立て体。
【請求項１１】
前記カム部材（１８）は、前記雄型本体部材（１６）内の環状凹部（４４）内に収容され、ばね部材（３４）と係合可能な前記円弧状カム（５８ａ）を画定する第１段環状周辺部（５８）と、前記アダプタ（１４）と相互係合する手段（６６）を含む第２段部分（６２）とを含む、請求項９に記載のコネクタ組み立て体。
【請求項１２】
前記ばね部材（３４）は、嵌合方向を横切って延在し、雄型本体部材（１６）上の横断方向肩部（４０）と係合可能である細長い剛性部（５４）を含む、請求項９に記載のコネクタ組み立て体。
【請求項１３】
前記ばね部材（３４）は、両端が細長い剛性部分（５４）のほぼ両端に接続されている細長いばね部（５６）を含む、請求項１２に記載のコネクタ組み立て体。
【請求項１４】
前記カム部材（１８）は、アダプタ（１４）の外部に突出する手動で操作可能なハンドル（６４）を含む、請求項９に記載のコネクタ組み立て体。
【手続補正書】
【提出日】平成15年1月21日(2003.1.21)
【手続補正１】
【補正対象書類名】図面
【補正対象項目名】全図
【補正方法】変更
【補正の内容】
【図１】
2004536431.tif 000019
【図２】
2004536431.tif 000020
【図３】
2004536431.tif 000021
【図４】
2004536431.tif 000022
【図５】
2004536431.tif 000023
【図６】
2004536431.tif 000024
【図７】
2004536431.tif 000025
【図８】
2004536431.tif 000026
【図９】
2004536431.tif 000027
【国際調査報告】
2004536431.tif 000028
2004536431.tif 000029